(57)【特許請求の範囲】
【請求項１】
計器の中央部に設けた文字板と、この文字板に光を照射する第１の光源と、前記文字板の外周を囲む見返し部材と、前記文字板上で回動する指針と、この指針の回動を指針する内機とを備えた自動車用計器であって、
前記見返し部材には、前記文字板の外周端から周方向に間隔を有した複数の透明導光部を放射状に設け、この透明導光部に光を入射する第２の光源を設け、
前記文字板は、前記計器の中央部から外周側に向けて広がる平板部と、この平板部の外周側で下方に傾斜する傾斜部とを備え、前記平板部の外周面に文字が形成されており、
前記指針の先端部分が、前記文字板よりも外側に延び前記透明導光部に達するまで延びていることを特徴とする自動車用計器。
【請求項２】
請求項１記載の自動車用計器であって、
前記透明導光部は、前記平板部の文字に対応して設けられていることを特徴とする自動車用計器。
【請求項３】
請求項１または請求項２記載の自動車用計器であって、
前記複数の透明導光部において、それぞれの透明導光部が異なった色光での表示を行うように構成されていることを特徴とする自動車用計器。
【発明の詳細な説明】
【技術分野】
【０００１】
本発明は、スピードメータやエンジン回転計等の自動車用計器に関する。
【背景技術】
【０００２】
自動車用計器においては、意匠性を向上させる工夫がなされている。図５は、特許文献１に記載された従来の自動車用計器１００を示す。
【０００３】
図５に示す自動車用計器１００においては、配線板１１１上にケース１１２が取り付けられ、ケース１１２上に文字板１２０が取り付けられている。文字板１２０の周囲には、文字板を囲むリング部材１３０が設けられている。リング部材１３０の周囲には、リング部材１３０及び文字板１２０を囲むように立ち上がった見返し部材１４０が設けられている。文字板１２０及びリング部材１３０は透光性樹脂によって形成される一方、見返し部材１４０は黒色樹脂によって形成されている。又、見返し部材１４０の下部には、リング状の光ガイド１４５が設けられている。光ガイド１４５は見返し部材１４０の下側で光るものである。
【０００４】
文字板１２０には、文字１２１が印刷等によって形成されており、リング部材１３０には、文字１２１に対応した目盛１３１が円周上に等間隔となるように形成されている。配線板１１１の裏側には、内機１５５が取り付けられており、内機１５５に指針１５０が連結されている。指針１５０は文字板１２０の中央部に配置されており、内機１５５の駆動によって文字板１２０上で回転して自動車の走行スピードを指示する。
【０００５】
この自動車計器１００においては、配線板１１１に光源が実装されている。符号１６０は、文字板１２０の下側に配置されて文字板１２０に光を照射する文字板用光源である。又、リング部材１３０の下側には、リング部材１３０に光を照射するリング部材用光源１６１が配置され、光ガイド１４５の下側には、光ガイドに光を照射する光ガイド用光源１６２が配置されている。これらの光源１６０，１６１，１６２は、複数のＬＥＤによって形成されている。
【０００６】
文字板１２０、リング部材１３０及び光ガイド１４５は、それぞれの光源１６０，１６１，１６２が発光することにより光が照射されるため、光った状態となり、文字板１２０の文字１２１，リング部材の目盛１３１及び見返し部材１４０の下側が光ることが可能である。
【先行技術文献】
【特許文献】
【０００７】
【特許文献１】特開２００７−８５９８４号公報
【発明の概要】
【発明が解決しようとする課題】
【０００８】
上述した従来の自動車用計器１００においては、文字板１２０及びリング部材１３０が光ることにより視認性を向上させることができるが、文字板１２０及びリング部材が単に光るだけのため、装飾性に乏しいものとなっている。
【０００９】
そこで、本発明は、装飾性に優れた自動車用計器を提供することを目的とする。
【課題を解決するための手段】
【００１０】
請求項１記載の発明は、計器の中央部に設けた文字板と、この文字板に光を照射する第１の光源と、前記文字板の外周を囲む見返し部材と、前記文字板上で回動する指針と、この指針の回動を指針する内機とを備えた自動車用計器であって、前記見返し部材には、前記文字板の外周端から周方向に間隔を有した複数の透明導光部を放射状に設け、この透明導光部に光を入射する第２の光源を設け、前記文字板は、前記計器の中央部から外周側に向けて広がる平板部と、この平板部の外周側で下方に傾斜する傾斜部とを備え、前記平板部の外周面に文字が形成されており、前記指針の先端部分が、前記文字板よりも外側に延び前記透明導光部に達するまで延びていることを特徴とする。
【００１１】
請求項２記載の発明は、請求項１記載の自動車用計器であって、前記透明導光部は、前記平板部の文字に対応して設けられていることを特徴とする。
【００１２】
請求項３記載の発明は、請求項１または請求項２記載の自動車用計器であって、前記複数の透明導光部において、それぞれの透明導光部が異なった色光での表示を行うように構成されていることを特徴とする。
【発明の効果】
【００１３】
請求項１記載の発明によれば、第１の光源からの光によって文字板が光る。第２の光源からの光は、見返し部材に形成された透明導光部に達して透明導光部を光らせる。見返し部材は文字板の外周を囲んでいるため、透明導光部は、光っている文字板の周囲をさらに光らせるように作用する。これにより、文字板に視認の注意力が注がれるような装飾性を付与することができ、文字が形成された平板部の外周側に下方に傾斜する傾斜部が形成されているため、文字が浮き上がったように視認できる。これにより、文字板に装飾性を向上させることができる。
【００１４】
請求項２記載の発明によれば、透明導光部が文字板の文字に対応して形成されているため、文字に注意力が注がれ、文字の視認性が向上する。
【００１５】
請求項３記載の発明によれば、それぞれの透明導光部が異なった色光での表示を行うように構成されているので、たとえば、特定の透明導光部を他の透明導光部と異なった色光（白色光に対して赤色光）で光らせることにより、レッドゾーン領域を表示でき、スケールチェンジとしての表示が可能となり、装飾性を向上させることができる。
【図面の簡単な説明】
【００１６】
【図１】本発明の一実施形態の自動車用計器を示す正面図である。
【図２】一実施形態の自動車用計器の断面図である。
【図３】一実施形態の自動車用計器の一部を切り欠いた斜視図である。
【図４】一実施形態の自動車用計器の全体の斜視図である。
【図５】従来の自動車用計器の斜視図である。
【発明を実施するための形態】
【００１７】
以下、本発明を図示する実施形態により具体的に説明する。図１は、本発明の一実施形態の自動車用計器１の正面図、図２は、その断面図、図３は、一部を切り欠いた斜視図、図４は、全体の斜視図である。
【００１８】
この実施形態は、エンジン回転計に適用された自動車用計器１である。自動車用計器１においては、配線板２上にケース３が取り付けられており、ケース３には、文字板４及び見返し部材１４が取り付けられている。配線板２は、硬質系基板によって形成されている。
【００１９】
図２及び図３に示すように、配線板２の下面には、内機９が取り付けられている。内機９は、配線板２を貫通するように突出した回動軸１２を有しており、この回動軸１２に指針１１が取り付けられている。内機９は、回動軸１２を回動させる。そして、回動軸１２の回転によって指針１１が回動する。指針１１は、後述する文字板４の中心部で回動し、この回動によってエンジンの回転数を指示する。
【００２０】
ケース３は、遮光性を備えた樹脂により形成されており、配線板２上に固定されている。ケース３は、計器１の中央部（回動軸）を囲む立周壁２１と、立周壁２１から外方に向かって隣接した状態で形成された第１の収容凹部２２、第２の収容凹部２３、第３の収容凹部２４、第４の収容凹部２５とを備えている。これらの収容凹部２２，２３，２４、２５は、平面から見てリング状に形成されると共に上面が開口された断面Ｕ字形の凹部となっており、下面は配線板２に当接されて支持されている。なお、第１の収容凹部２２及び第２の収容凹部２３は、第３の収容凹部２４及び第４の収容凹部２５よりも高くなるように形成されている。
【００２１】
文字板４は、円板状となっており、ケース３上に設けられている。文字板４は、立周壁２１、第１の収容凹部２２、第２の収容凹部２３及び第３の収容凹部２４を覆った状態でケース３上に固定されている。すなわち、文字板４は、立周壁２１、第１の収容凹部２２、第２の収容凹部２３及び第３の収容凹部２４を合わせた径を有した大きさとなっており、最も外側に位置している第４の収容凹部２５に対しては文字板４は覆うことがない。
【００２２】
文字板４は、計器１の中央部から外周側に向けて円形となって広がる平板部４ａと、平板部４ａの外周側に連設した傾斜部４ｂとを一体に有している。平板部４ａは、立周壁２１、第１の収容凹部２２及び第２の収容凹部２３を覆っている。傾斜部４ｂは、平板部４ａの外周側から下方に傾斜しており、この傾斜状態で第３の収容凹部２４を覆っている。
【００２３】
文字板４は、アクリル樹脂等の透光性樹脂により形成されている。文字板４の平板部４ａにおける外周側には、図１に示すように、「０」、「１」、「２」等の文字１５が印刷、刻印等によって形成されている。文字１５は、平板部４ａの外周部分に等間隔に形成されており、指針１１は、文字１５の形成領域を回動する。この実施形態において、指針１１は文字板４の平板部４ａよりも長くなっており、その先端部分が平板部４ａの外方側に延びている。
【００２４】
ケース３における第１の収容凹部２２、第２の収容凹部２３及び第３の収容凹部２４には、文字板４に光を照射する第１の光源１７が配置されている。第１の光源１７は、収容凹部２２，２３，２４に収容されるように配線板２の上面に実装された複数のＬＥＤによって形成されている。そして、第１の光源１７を構成するＬＥＤのそれぞれが発光することにより、文字板４に対して裏側から光を出射する。
【００２５】
この場合、第１の収容凹部２２及び第２の収容凹部２３の内部に設けられた第１の光源１７が文字板４の平板部４ａを照射するため、平板部４ａが光り、平板部４ａの文字１５に対する明るい視認が可能となる。一方、第３の収容凹部２４の内部に設けられた第１の光源１７は、文字板４の傾斜部４ｂを照射するため、傾斜部４ｂが光る。これと共に傾斜部４ｂが下方に傾斜しているため、傾斜部４ｂに達した光は、傾斜部４ｂを透過した後、文字板４の周囲に設けられている見返し部材１４に達して見返し部材１４を照射する。
【００２６】
見返し部材１４は、文字板４の周囲で文字板４を囲むようにケース３から立ち上がった平面円形の立体リング形状となっている。見返し部材１４は、アクリル樹脂等の透光性樹脂により形成されており、その内側の表面には青色等の所定の着色が施されている。見返し部材１４は、下部が肉厚で上方に向かうにつれて徐々に肉薄となる断面四角錐状に形成されている。見返し部材１４は、肉厚の底面部分がケース３における第４の収容凹部２５を覆っている。この見返し部材１４の底面１４ａには、着色が施されることがなく、底面１４ａからは光が見返し部材１４内に進入可能となっている。
【００２７】
第４の収容凹部２５の内部には、第２の光源１９が配置されている。第２の光源１９は、第４の収容凹部２５に収容されるように配線板２の上面に実装された複数のＬＥＤによって形成されている。そして、ＬＥＤのそれぞれが発光することにより見返し部材１４に対して光を出射する。これにより、見返し部材１４が照明され、底面１４ａから見返し部材１４の内部に光が進入する。
【００２８】
この実施形態において、第１〜第４の収容凹部２２，２３，２４，２５に内部には、拡散板３４がそれぞれ配置されている。拡散板３４は、これらの収容凹部２２，２３，２４，２５の上部に嵌め込まれることにより固定されている。このように拡散板３４を設けることにより、第１の光源１７及び第２の光源１９からの光が拡散され、この拡散光が文字板４及び見返し部材１４を照明する。
【００２９】
見返し部材１４には、複数の透明導光部３５が形成されている。透明導光部３５は、着色が施されることなく見返し部材１４の表面を露出させることにより形成されるものであり、光が透過可能な透明となっている。
【００３０】
透明導光部３５は、文字板４における傾斜部４ｂの外周端から見返し部材１４の高さ方向に沿って立ち上がるように形成されている。また、透明導光部３５は、周方向に間隔を有した放射状となって見返し部材１４に複数が形成されている。この実施形態において、透明導光部３５は、下側が幅広で上方に向かうに従って幅狭となる細い三角形状に形成されている。
【００３１】
透明導光部３５が光透過可能となっていることにより、底面１４ａから見返し部材１４の内部に進入した第２の光源１９からの光は、透明導光部３５を光らせる。このため、見返し部材１４に対して、透明導光部３５の三角形状の光り部分を形成することができる。
【００３２】
図１に示すように、放射状に配置された透明導光部３５のそれぞれは、文字板４の平板部４ａに形成された文字１５に対応している。すなわち、透明導光部３５は、文字板４のそれぞれ文字１５の外側に対応するように形成されている。指針１１は、文字板４よりも外側に延びた先端部分が透明導光部３５に達するまで延びており、これにより指針１１は透明導光部３５を指示するようになっている。
【００３３】
このような実施形態の自動車用計器１においては、第１の光源１７からの光によって文字板４が光り、第２の光源１９からの光が見返し部材の透明導光部を光らせる。この透明導光部は、文字板の周囲で光るため、光っている文字板の周囲をさらに光らせるように作用する。このため文字板に視認の注意力が注がれるような装飾性を付与することができる。
【００３４】
又、文字板４においては、文字１５が形成された平板部の外周側に下方に傾斜する傾斜部が形成されているため、文字が浮き上がったように視認でき、文字板の装飾性を向上させることができる。
【００３５】
さらに、透明導光部が文字板の文字に対応して形成されているため、文字に注意力が注がれて文字の視認性が向上する。
【００３６】
以上の実施形態では、複数の収容凹部２２，２３，２４，２５に配置された光源１７，１９に対して点灯制御を行うことにより、文字板４、透明導光部３５への照明の有無、照明の時差点灯等の点灯制御を行うことができる。これにより、さらに装飾性を向上させることができる。
【００３７】
又、複数の透明導光部３５に対しては、それぞれの透明導光部３５に対して異なった色光での表示を行うことができる。例えば、特定の透明導光部３５を他の透明導光部３５と異なった色光（例えば、白色光に対して赤色光）で光られることにより、レッドゾーン領域を表示でき、スケールチェンジとしての表示が可能となり、装飾性を向上させることができる。
【００３８】
なお、この実施形態では、複数の収容凹部２２，２３，２４，２５を区切った独立状態としたが、照明対象が共通な収容凹部に対しては区切ることなく共通の光源によって照射するようにしても良い。これにより、構造を簡素化でき、コスト低減が可能となる。
【符号の説明】
【００３９】
１  自動車用計器
３  ケース
４  文字板
９  内機
１１  指針
１２  回動軸
１４  見返し部材
１５  文字
１７  第１の光源
１９  第２の光源
２１，２２，２３，２４  収容凹部
３５  透明導光部
【図１】
0005487075.tif 000002
【図２】
0005487075.tif 000003
【図３】
0005487075.tif 000004
【図４】
0005487075.tif 000005
【図５】
0005487075.tif 000006